(57)【要約】【課題】少なくとも第１電源と第２電源とを有し、第１電源と第２電源とのいずれか一方が電源異常状態になったときでも、状態の記録の消失を免れることのできる電源管理装置を提供する。【解決手段】本発明の電源管理装置１は、第１電源回路２と第２電源回路３とを有する。第１電源回路２は、第１電源の電圧を検知する第１電源電圧検知回路５と、第１電源電圧検知回路５の信号レベルの変化と第１電源回路２の状態変化に関係する信号レベルの変化とに基づいて第１電源回路２の状態変化を記録する第１記録回路６と、操作端子１０からの操作により制御される回路とを有する。第２電源回路３は第２電源の電圧を検知する第２電源電圧検知回路７と、第２電源電圧検知回路７の信号レベルの変化と第１電源回路２の状態変化に関係する信号レベルの変化とに基づいて第１電源の状態変化を記録する第２記録回路８とを有する。【選択図】  図１
2015035871.tif 000002
【特許請求の範囲】
【請求項１】
少なくとも第１電源回路と第２電源回路とを有し、前記第１電源回路は、第１電源の電圧を検知する第１電源電圧検知回路と、該第１電源電圧検知回路の信号レベルの変化と前記第１電源回路の状態変化に関係する信号レベルの変化とに基づいて前記第１電源回路の状態変化を記録する第１記録回路と、操作端子からの操作により制御される電源出力回路とを有し、
第２電源回路は第２電源の電圧を検知する第２電源電圧検知回路と、該第２電源電圧検知回路の信号レベルの変化と前記第１電源回路の状態変化に関係する信号レベルの変化とに基づいて前記第１電源の状態変化を記録する第２記録回路とを有することを特徴とする電源管理装置。
【請求項２】
前記第１電源回路の状態変化に関係する信号は、操作端子からの操作による信号であり、前記第１記録回路は前記操作を意味する論理値を記録する第１操作記録回路であり、前記第２記録回路は前記操作を意味する論理値を記録する第２操作記録回路であることを特徴とする請求項１に記載の電源管理装置。
【請求項３】
前記第１電源電圧検知回路は、前記第１電源が該第１電源の正常動作電圧を意味する閾値を超えると出力信号のレベルが変化する比較器から構成され、前記第２電源電圧検知回路は、前記第２電源が該第２電源の正常動作電圧を意味する閾値を超えると出力信号のレベルが変化する比較器から構成されていることを特徴とする請求項１又は請求項２に記載の電源管理装置。
【請求項４】
前記第１操作記録回路は、前記第１電源電圧検知回路から出力信号が入力されるリセット端子と前記第１電源回路の状態変化に関係する信号が入力されるクロック端子とを有するフリップフロップから構成され、該フリップフロップは、前記第１電源電圧検知回路からの出力信号のレベルの変化によりデアサートされて前記第１電源回路の状態変化に関係する信号レベルの変化に基づいて前記操作を意味する論理値を記録し、
前記第２操作記録回路は、前記第２電源電圧検知回路からの出力信号が入力されるリセット端子と前記第１電源回路の状態変化に関係する信号が入力されるクロック端子とを有するフリップフロップから構成され、該フリップフロップは、前記第２電源電圧検知回路からの出力信号のレベルの変化によりデアサートされて前記第１電源回路の状態変化に関係する信号のレベルの変化に基づいて前記操作を意味する論理値を記憶することを特徴とする請求項１ないし請求項３のいずれか１項に記載の電源管理装置。
【請求項５】
前記第１電源回路は、電源出力回路を有し、前記電源出力回路の出力電圧の異常を検出して出力信号のレベルが変化する出力電圧異常検出回路を有し、前記第１電源回路の状態変化に関係する信号は前記出力電圧異常検出回路から出力される出力信号であり、前記第１記録回路は前記電源出力回路の異常を意味する論理値を記録する第１異常記録回路であり、前記第２記録回路は前記電源出力の異常を意味する論理値を記録する第２異常記録回路であることを特徴とする請求項１に記載の電源管理装置。
【請求項６】
前記第１電源電圧検知回路は、前記第１電源の正常動作電圧を意味する閾値を超えると出力信号のレベルが変化する比較器から構成され、前記第２電源電圧検知回路は、前記第２電源が該第２電源の正常動作電圧を意味する閾値を超えると出力信号のレベルが変化する比較器から構成されることを特徴とする請求項５に記載の電源管理装置。
【請求項７】
前記第１異常記録回路は、前記第１電源電圧検知回路から出力信号が入力されるリセット端子と前記出力電圧異常検出回路からの出力信号が入力されるクロック端子とを有するフリップフロップから構成され、該フリップフロップは、前記第１電源電圧検知回路からの出力信号のレベルの変化によりデアサートされて前記出力電圧異常検出回路から前記クロック端子に入力される出力信号のレベルの変化に基づいて前記電源出力回路の異常を意味する論理値を記録し、
前記第２異常記録回路は、前記第２電源電圧検知回路からの出力信号が入力されるリセット端子と前記出力電圧異常検出回路からの出力信号が入力されるクロック端子とを有するフリップフロップから構成され、該フリップフロップは、前記第２電源電圧検知回路からの出力信号のレベルの変化によりデアサートされて前記出力電圧異常検出回路から前記クロック端子に入力される出力信号のレベルの変化に基づいて前記電源出力回路の異常を意味する論理値を記憶することを特徴とする請求項５又は請求項６に記載の電源管理装置。
【請求項８】
前記出力電圧異常検出回路は、前記電源出力回路の出力電圧が所定の閾値を超えると出力信号のレベルが変化する比較器により構成されていることを特徴とする請求項５ないし請求項７のいずれか１項に記載の電源管理装置。
【請求項９】
少なくとも第１電源回路と第２電源回路とを有し、前記第１電源回路は、第１電源の電圧を検知する第１電源電圧検知回路と、操作端子からの操作によりオン・オフされる電源出力回路と、前記第１電源電圧検知回路の信号レベルの変化と前記操作端子からの操作による信号レベルの変化とに基づいて前記操作を意味する論理値を記録する第１操作記録回路と、前記電源出力回路の出力電圧の異常を検出して出力信号のレベルが変化する出力電圧異常検出回路と、前記第１電源電圧検知回路の信号レベルの変化と前記出力電圧異常検出回路から出力される出力信号のレベルの変化とに基づいて前記電源出力回路の異常を意味する論理値を記録する第１異常記録回路とを有し、
前記第２電源回路は、前記第２電源の電圧を検知する第２電源電圧検知回路と、前記第２電源電圧検知回路の信号レベルの変化と前記操作端子からの操作による信号レベルの変化とに基づいて前記操作を意味する論理値を記録する第２操作記録回路と、前記第２電源電圧検知回路の信号レベルの変化と前記出力電圧異常検出回路から出力される出力信号のレベルの変化とに基づいて前記電源出力回路の異常を意味する論理値を記録する第２異常記録回路とを有することを特徴とする電源管理装置。
【請求項１０】
前記第１操作記録回路の論理値と、前記第１異常記録回路の論理値と、前記第２操作記録回路の論理値と、前記第２異常記録回路の論理値との組み合わせにより、操作の履歴と電源出力回路の出力電圧の異常と前記第１電源の異常と前記第２電源の異常との関係を把握可能であることを特徴とする請求項５ないし請求項９のいずれか１項に記載の電源管理装置。
【発明の詳細な説明】
【技術分野】
【０００１】
本発明は、主電源、バックアップ電源からシステムに供給される電源電力を管理する電源管理装置の改良に関する。
【背景技術】
【０００２】
従来から、主電源、バックアップ電源からシステムに要求される電源電力を供給する電源管理装置が知られている。また、電源管理装置として１個の回路素子に集約した電源管理ＩＣは、回路機器内で供給電源電力を担う根幹回路素子であるため、異常状態の記録、ユーザーの操作履歴の記録に有用であることが知られている。
【０００３】
例えば、電源管理装置には、電源出力回路の異常状態を記録するために、主電源（第１電源）とは別の電源（第２電源）で主電源（第１電源）の制御と異常状態とを監視して、異常状態を記録し、その情報を必要なときに取得できる構成のものが知られている（特許文献１参照）。
【発明の概要】
【発明が解決しようとする課題】
【０００４】
しかし、今までの電源管理装置では、異常状態の記録やユーザーの操作履歴等の第１電源に関係する状態の記録を単一の電源回路、例えば、第１電源回路又は第２電源回路で記録しているにすぎない。
すなわち、電源管理装置は、第１電源（例えば、メインバッテリー）や第２電源（例えば、サブバッテリー）の複数電源により自己の制御とシステムへの電源供給を行っている。
【０００５】
そして、最後まで制御可能な電源回路、例えば、第２電源の回路により第１電源の異常状態等の状態の記録を行っている。このような電源管理装置では、第２電源がグランドショートする等の電源異常状態になった場合、状態の記録が消失するという問題がある。
【０００６】
本発明は、上記の事情に鑑みて為されたもので、少なくとも第１電源と第２電源とを有し、第１電源と第２電源とのいずれか一方が電源異常状態になったときでも、状態の記録の消失を免れることのできる電源管理装置を提供することを目的とする。
【課題を解決するための手段】
【０００７】
本発明に係る電源管理装置は、少なくとも第１電源回路と第２電源回路とを有し、前記第１電源回路は、第１電源の電圧を検知する第１電源電圧検知回路と、該第１電源電圧検知回路の信号レベルの変化と第１電源回路の状態変化に関係する信号レベルの変化とに基づいて前記第１電源回路の状態変化を記録する第１記録回路と、操作端子からの操作により制御される回路とを有し、
第２電源回路は第２電源の電圧を検知する第２電源電圧検知回路と、該第２電源電圧検知回路の信号レベルの変化と第１電源回路の状態変化に関係する信号レベルの変化とに基づいて前記第１電源の状態変化を記録する第２記録回路とを有することを特徴とする。
【発明の効果】
【０００８】
本発明によれば、第１電源回路の状態変化を第１電源回路に設けられている第１記録回路と、第２電源回路に設けられている第２記録回路との両方の記録回路に記録する構成としたので、第１電源回路又は第２電源回路の少なくとも一方に電源異常が生じたときでも、第１電源回路の過去の状態変化の記録の消失を免れることができるという効果を奏する。
【図面の簡単な説明】
【０００９】
【図１】図１は本発明の実施例１に係る電源管理装置のブロック回路図である。
【図２】図２は図１に示す電源管理装置が正常動作電圧で動作している場合についての第１操作記録回路、第２操作記録回路の論理値の説明に用いるタイミングチャートである。
【図３】図３は図１に示す第１操作記録回路、第２操作記録回路に操作履歴としての論理値が記録された後に、第１電源に異常が生じた場合についての第１操作記録回路、第２操作記録回路の論理値の説明に用いるタイミングチャートである。
【図４】図４は図１に示す第１操作記録回路、第２操作記録回路に操作履歴としての論理値が記録された後に、第２電源に異常が生じた場合についての第１操作記録回路、第２操作記録回路の論理値の説明に用いるタイミングチャートである。
【図５】図５は本発明の実施例２に係る電源管理装置のブロック回路図である。
【図６】図６は図５に示す電源管理装置が正常動作電圧で動作して、電源出力回路をオンさせた後、電源出力回路に異常が生じた場合についての第１異常記録回路、第２異常記録回路の論理値の説明に用いるタイミングチャートである。
【図７】図７は、電源管理装置が正常動作電圧で動作して、電源出力回路をオンさせた後、電源出力回路に異常が生じて第１異常記録回路、第２異常記録回路に電源出力回路の異常を意味する論理値が記録された後に、第１電源に異常が生じた場合についての第１異常記録回路、第２異常記録回路の論理値の説明に用いるタイミングチャートである。
【図８】図８は、電源管理装置が正常動作電圧で動作して、電源出力回路をオンさせた後、電源出力回路に異常が生じて第１異常記録回路、第２異常記録回路に電源出力回路の異常を意味する論理値が記録された後に、第２電源に異常が生じた場合についての第１異常記録回路、第２異常記録回路の論理値の説明に用いるタイミングチャートである。
【図９】図９は、本発明の実施例３に係る電源管理装置のブロック回路図である。
【図１０】図１０は、電源をオンして図９に示す電源出力回路がオンされてからオフされるまでの操作過程において考えられる電源異常の有無を含めた経路の説明図である。
【図１１】図１１は、図１０に示す経路と図９に示す第１操作記録回路、第１異常記録回路、第２操作記録回路、第２異常記録回路の論理値との関係を示す論理値表である。
【図１２】図１２は図１０に示す経路１、経路２に示す論理値が得られる過程を説明するためのタイミングチャートである。
【発明を実施するための形態】
【実施例】
【００１０】
（実施例１）
図１は、本発明の実施例１に係る電源管理装置のブロック回路図である。
その図１において、符号１は電源管理装置を示す。電源管理装置１は、少なくとも第１電源回路２と、第２電源回路３とを有する。その第１電源回路２は、電源出力回路４と、第１電源電圧検知回路５と、第１操作記録回路（第１記録回路）６とを有する。
【００１１】
その第２電源回路３は、第２電源電圧検知回路７と、第２操作記録回路（第２記録回路）８とを有する。その電源出力回路４は、例えば、システムの回路（コア部）に電源電力を供給すると共に、バックアップ用サブバッテリーを充電する。第２電源回路３はこのバックアップ用サブバッテリーから電源電力を供給される。第１操作記録回路６、第２操作記録回路８は後述する操作を意味する論理値として記録保持する。
【００１２】
その電源管理装置１には、入力端子９と、操作端子１０、入力端子１１とが設けられている。その第１電源回路２には、入力端子９から第１電源の入力電圧Ｖ１が入力される。第２電源回路３には、入力端子１１から第２電源の入力電圧Ｖ２が入力される。電源出力回路４は、操作端子１０からのＨレベルの信号により、出力端子１２から出力電圧Ｖを出力する。この操作端子１０からの信号は第１電源回路２の状態変化に関係する信号である。
【００１３】
第１電源電圧検知回路５は、比較器（ＤＥＴ）１３から構成されている。この比較器（ＤＥＴ）１３は、入力電圧Ｖ１と正常動作電圧を意味する所定の閾値Ｔｈ１（図２参照）とを比較して、入力電圧Ｖ１が閾値Ｔｈ１よりも低いときに、Ｌレベルの信号を出力し、入力電圧Ｖ１が閾値Ｔｈ１よりも高いときに、Ｈレベルの信号を出力する。
【００１４】
第２電源電圧検知回路７は、比較器（ＤＥＴ）１４から構成されている。この比較器（ＤＥＴ）１４は、入力電圧Ｖ２と正常動作電圧を意味する所定の閾値Ｔｈ２（図２参照）とを比較して、入力電圧Ｖ２が閾値ＴＨ２よりも低いときに、Ｌレベルの信号を出力し、入力電圧Ｖ２が閾値Ｔｈ２よりも高いときに、Ｈレベルの信号を出力する。
【００１５】
第１操作記録回路６は、フリップフロップ１５から構成されている。第２操作記録回路８はフリップフロップ１６から構成されている。フリップフロップ１５、１６はデータ端子ＤＡＴＡとクロック端子ＣＬＫとリセット端子ＲＥＳＥＴとを有する。
【００１６】
フリップフロップ１５のデータ端子ＤＡＴＡには、入力電圧Ｖ１が印加される。フリップフロップ１５のクロック端子ＣＬＫには、操作端子１０からＬレベルの信号又はＨレベルの信号が入力される。フリップフロップ１５のリセット端子ＲＥＳＥＴには比較器（ＤＥＴ）１３からＬレベルの信号又はＨレベルの信号が入力される。
【００１７】
フリップフロップ１６のデータ端子ＤＡＴＡには、入力電圧Ｖ２が印加される。フリップフロップ１６のクロック端子ＣＬＫには操作端子１０からＨレベルの信号又はＬレベルの信号が入力される。フリップフロップ１６のリセット端子ＲＥＳＥＴには比較器（ＤＥＴ）１４からＬレベルの信号又はＨレベルの信号が入力される。なお、第２電源は、電源出力回路４からの電源電力供給によって充電されるバックアップ用サブバッテリー等により構成され、第１電源をオンすると、第２電源の入力電圧Ｖ２は、第１電源の入力電圧Ｖ１に遅れて上昇する。
【００１８】
以下に、本発明の実施例１に係る電源管理装置１が正常動作電圧で動作している場合について、第１操作記録回路６、第２操作記録回路８の論理値を図２に示すタイミングチャートを参照しつつ説明する。
【００１９】
ついで、操作の記録保持後に、第１電源の入力電圧Ｖ１に異常が生じた場合についての第１操作記録回路６、第２操作記録回路８の論理値を図３に示すタイミングチャートを参照しつつ説明する。
また、操作の記録保持後に、第２電源の入力電圧Ｖ２に異常が生じた場合についての第１操作記録回路６、第２操作記録回路８の論理値を図４に示すタイミングチャートを参照しつつ説明する。
【００２０】
操作端子１０から入力されるＬレベル又はＨレベルの信号は、ここでは、電源出力回路４のオン・オフ制御に用いるものとして説明するが、これに限るものではない。また、ここでは、操作端子１０からのＬレベルの信号がＨレベルの信号に変化したとき、操作が行われたとして、第１操作記録回路６、第２操作記録回路８は論理値「１」を記録保持するものとして説明する。
【００２１】
（電源管理装置１に入力される入力電圧Ｖ１、Ｖ２が正常動作可能な電圧の場合の論理値の記録についての説明）
電源をオンすると、図２に示すように、入力電圧Ｖ１が、例えば、時点Ｔ１から上昇を開始する。比較器（ＤＥＴ）１３は、閾値Ｔｈ１以下の場合、Ｌレベルの信号をフリップフロップ１５のリセット端子ＲＥＳＥＴに出力する。
【００２２】
これにより、フリップフロップ１５のリセット端子ＲＥＳＥＴがアサートされ、フリップフロップ１５の論理値「０」が時点Ｔ２において確定する。すなわち、時点Ｔ２において、信号論理が有効になり、論理値「０」がフリップフロップ１５に保持される。
【００２３】
その後、入力電圧Ｖ１が時点Ｔ３において閾値Ｔｈ１を超えると、比較器（ＤＥＴ）１３がＨレベルの信号をフリップフロップ１５のリセット端子ＲＥＳＥＴに出力する。これにより、フリップフロップ１５のリセット端子ＲＥＳＥＴがデアサートされ、フリップフロップ１５のクロック端子ＣＬＫへの信号の入力が有効な状態となる（図２の時点Ｔ３参照）。なお、時点Ｔ２までの間は、フリップフロップ１５が論理値を正常に保持できない期間である。
【００２４】
第２電源回路３の入力電圧Ｖ２は入力電圧Ｖ１に対して遅れて、例えば、時点Ｔ４から上昇する。比較器１４は閾値Ｔｈ２以下の場合、Ｌレベルの信号をフリップフロップ１６のリセット端子ＲＥＳＥＴに出力する。
【００２５】
これにより、フリップフロップ１６のリセット端子ＲＥＳＥＴがアサートされ、フリップフロップ１６の論理値「０」が時点Ｔ５で確定する。すなわち、時点Ｔ５において、信号論理が有効になり、論理値「０」がフリップフロップ１６に保持される。
【００２６】
その後、入力電圧Ｖ２が時点Ｔ６において閾値Ｔｈ２を超えると、比較器（ＤＥＴ）１４がＨレベルの信号をフリップフロップ１６のリセット端子ＲＥＳＥＴに出力する。これにより、フリップフロップ１６のリセット端子ＲＥＳＥＴがデアサートされ、フリップフロップ１６のクロック端子ＣＬＫへの入力が有効な状態となる（図２の時点Ｔ６参照）。なお、時点Ｔ５までの間は、フリップフロップ１６が論理値を正常に保持できない期間である。
【００２７】
ついで、操作端子１０からの操作信号がＬレベルからＨレベルに変化すると（時点Ｔ７）、Ｈレベルの信号がフリップフロップ１５のクロック端子ＣＬＫに入力されると共に、電源出力回路４に入力される。これにより、電源出力回路４がオンされ、出力電圧Ｖが出力端子１２から出力される。
【００２８】
また、フリップフロップ１５の論理値が「０」から「１」に変化し、この論理値「１」がフリップフロップ１５に保持される（図２の時点Ｔ８参照）。同時に、Ｈレベルの信号がフリップフロップ１６のクロック端子ＣＬＫに入力されるので、フリップフロップ１６の論理値も「０」から「１」に変化し、この論理値「１」がフリップフロップ１６に保持される（図２の時点Ｔ８参照）。
【００２９】
従って、このフリップフロップ１５、１６の論理値「１」を読み出して確認することにより、操作端子１０からの操作信号がＬレベルからＨレベルに変化したか否かを確認できる。そのフリップフロップ１５、１６からの論理値「１」の読み出しには、例えば、フリップフロップ１５、１６の出力端子ＯＵＴを用いて行えば良い。
【００３０】
また、この電源管理装置１が用いられているシステムのＣＰＵ（図示を略す）からアクセス可能なレジスタにこの論理値を割り当ててレジスタリードしても良い。
また、リード後にシステムのＣＰＵから手動アクセスによりフリップフロップ１５、１６の論理値をクリアすることにより、次回の操作による論理値を記録することができるようにしても良い。
【００３１】
なお、この実施例１では、過去に操作があったことを操作端子１０からの信号のＬレベルからＨレベルの変化に対応させて、論理値「１」として記録することとして説明している。しかしながら、過去に操作があったことを操作端子１０からの信号がＨレベルからＬレベルの変化に対応させて、論理値「１」として記録する構成としても良い。
【００３２】
（操作端子１０からの操作により、第１操作記録回路６、第２操作記録回路８に論理値「１、１」が記録された後に、入力電圧Ｖ１に異常が生じた場合の論理値についての説明）
操作端子１０からのＨレベルの操作信号の入力後、第１電源の入力電圧Ｖ１が図３に示すように何らかの原因で降下し始め、時点Ｔ１１で入力電圧Ｖ１が所定の閾値Ｔｈ１以下になったとする。すると、比較器（ＤＥＴ）１３の信号はＬレベルになり、比較器１３はＬレベルの信号をフリップフロップ１５のリセット端子ＲＥＳＥＴに出力する。
【００３３】
これにより、フリップフロップ１５のリセット端子ＲＥＳＥＴは、時点Ｔ１２においてネゲートされ、フリップフロップ１５の信号論理が無効となる。
その結果、フリップフロップ１５の論理値が不定状態となる。ついで、入力電圧Ｖ１の異常が回復して、時点Ｔ１３から再度入力電圧Ｖ１が上昇する。すると、フリップフロップ１５のリセット端子ＲＥＳＥＴがアサートされ、時点Ｔ１４において、フリップフロップ１５の論理値「０」が確定する。
【００３４】
時点Ｔ１５において、入力電圧Ｖ１が所定の閾値Ｔｈ１を超えると、比較器（ＤＥＴ）１３がＨレベルの信号をフリップフロップ１５のリセット端子ＲＥＳＴに向かって出力し、フリップフロップ１５のリセット端子ＲＥＳＥＴがデアサートされ、フリップフロップ１５への入力が有効となる。しかし、操作端子１０からの信号はＨレベルを保持したままであり、操作端子１０からの信号レベルには変化がない。
【００３５】
このため、第１操作記録回路６（フリップフロップ１５）の論理値は「０」のままであり、第１操作記録回路６（フリップフロップ１５）は、過去に操作端子１０からの信号のレベルに変化があったことを記録保持しておくことができない。
【００３６】
これに対して、入力電圧Ｖ２は、時点Ｔ１１〜Ｔ１５の期間において、閾値Ｔｈ２を超えたままであり、第２電源回路３は正常に動作できる電圧であるので、第２操作記録回路８（フリップフロップ１６）は論理値「１」を保持し続ける。
【００３７】
（操作端子１０からの操作により、第１操作記録回路６、第２操作記録回路８に論理値「１、１」が記録された後に、入力電圧Ｖ２に異常が生じた場合の論理値についての説明）
操作端子１０からのＨレベルの操作信号の入力後、第２電源の入力電圧Ｖ２が図４に示すように何らかの原因で降下し始め、時点Ｔ２１で入力電圧Ｖ２が所定の閾値Ｔｈ２以下になったとする。すると、比較器（ＤＥＴ）１４の信号はＬレベルになり、比較器１４はＬレベルの信号をフリップフロップ１６のリセット端子ＲＥＳＥＴに出力する。
【００３８】
これにより、フリップフロップ１６のリセット端子ＲＥＳＥＴは、時点Ｔ２２においてネゲートされ、フリップフロップ１６の信号論理が無効となる。
その結果、フリップフロップ１６の論理値が不定状態となる。ついで、入力電圧Ｖ２の異常が回復して、時点Ｔ２３から再度入力電圧Ｖ２が上昇する。すると、フリップフロップ１６のリセット端子ＲＥＳＥＴがアサートされ、時点Ｔ２４において、フリップフロップ１６の論理値「０」が確定する。
【００３９】
時点Ｔ２５において、入力電圧Ｖ２が所定の閾値Ｔｈ２を超えると、比較器（ＤＥＴ）１４がＨレベルの信号をフリップフロップ１６のリセット端子ＲＥＳＴに向かって出力し、フリップフロップ１６のリセット端子ＲＥＳＥＴがデアサートされ、フリップフロップ１６への入力が有効となる。しかし、操作端子１０からの信号はＨレベルを保持したままであり、操作端子１０からの信号レベルには変化がない。
【００４０】
このため、第２操作記録回路８（フリップフロップ１６）の論理値は「０」のままであり、第２操作記録回路８（フリップフロップ１６）は、過去に操作端子１０からの信号のレベルに変化があったことを記録保持しておくことができない。
【００４１】
これに対して、入力電圧Ｖ１は、時点Ｔ２１〜Ｔ２５の期間において、閾値Ｔｈ１を超えたままであり、第１電源回路２は正常に動作できる電圧であるので、第１操作記録回路６（フリップフロップ１５）は論理値「１」を保持し続ける。
なお、入力電圧Ｖ１、Ｖ２共に異常が生じた場合には、第１操作記録回路６（フリップフロップ１５）、第２操作記録回路８（フリップフロップ１６）の論理値はそれぞれ「０」となる。
【００４２】
従って、第１操作記録回路６（フリップフロップ１５）、第２操作記録回路８（フリップフロップ１６）の論理値「０」と論理値「１」との組み合わせにより、操作端子１０からの信号レベルに変化があったか否か、操作端子１０からの信号レベルに変化があったとした場合、その後に、第１電源、第２電源に異常が生じたか否かを、第１操作記録回路６の論理値「０」又は「１」と、第２操作記録回路８の論理値「０」又は「１」との関係により把握することができる。
【００４３】
すなわち、第１操作記録回路６、８の論理値が「０、０」の場合、電源オン後に何らの操作も行っていないか、電源オン後に操作を行ったが、その後に、第１電源、第２電源に異常が生じたと判定できる。
【００４４】
また、第１操作記録回路６、８の論理値が「１、１」の場合、電源オン後に操作を行ったが、第１電源、第２電源共に異常がないと判定できる。
第１操作記録回路６、８の論理値が「０、１」の場合、操作後、第１電源に異常が生じたと判定できる。第１操作記録回路６、８の論理値が「１、０」の場合、操作後、第２電源に異常が生じたと判定できる。
【００４５】
（実施例２）
図５は、本発明の実施例２に係る電源管理装置１のブロック回路図である。
この実施例２では、第１電源回路２は、電源出力回路４、第１電源電圧検知回路５、電源出力回路４の出力電圧Ｖの異常を検出する出力電圧異常検出回路１７、出力電圧Ｖに異常があったか否かを記録する第１異常記録回路（第１記録回路）１８を有する。
【００４６】
第２電源回路３は、第２電源電圧検知回路７、電源出力回路４に異常があったか否かを記録する第２異常記録回路（第２記録回路）１９を有する。電源出力回路４は例えばアナログスイッチ回路を有する。そのアナログスイッチ回路は、操作端子１０からのＨレベルの信号によってオンされる。
【００４７】
出力電圧異常検出回路１７は、比較器（ＤＥＴ）２０から構成されている。その比較器（ＤＥＴ）２０は、電源出力回路４の出力電圧Ｖが正常動作電圧値としての所定の閾値ＶＴｈを下回ると、その出力がＨレベルからＬレベルとなる。この出力電圧異常検出回路１７から出力される出力信号は第１電源回路２の状態変化に関係する信号である。
【００４８】
第１異常記録回路１８は、フリップフロップ２１から構成されている。第２異常記録回路１９はフリップフロップ２２から構成されている。フリップフロップ２１、２２はデータ端子ＤＡＴＡとクロック端子ＣＬＫとリセット端子ＲＥＳＥＴとを有する。なお、第１電源電圧検知回路５、第２電源電圧検知回路７の回路構成は実施例１と同様である。
【００４９】
出力電圧異常検出回路１７の比較器（ＤＥＴ）２０の信号はインバータ２３を介してフリップフロップ２１のクロック端子ＣＬＫに入力されると共に、インバータ２４を介してフリップフロップ２２のクロック端子ＣＬＫに入力される。
【００５０】
以下に、本発明の実施例２に係る電源管理装置１が正常動作電圧で動作して、電源出力回路４をオンさせた後、電源出力回路４の出力電圧Ｖに異常が生じたときの第１異常記録回路１８、第２異常記録回路１９の論理値を図６に示すタイミングチャートを参照しつつ説明する。
【００５１】
ついで、電源管理装置１が正常動作電圧で動作して、電源出力回路４をオンさせた後、電源出力回路４に異常が生じて、第１異常記録回路１８の論理値が「１」、第２異常記録回路１９の論理値が「１」となった後に、第１電源に異常が生じたときの第１異常記録回路１８、第２異常記録回路１９の論理値を図７に示すタイミングチャートを参照しつつ説明する。
【００５２】
また、電源管理装置１が正常動作電圧で動作して、電源出力回路４をオンさせた後、電源出力回路４に異常が生じて、第１異常記録回路１８の論理値が「１」、第２異常記録回路１９の論理値が「１」となった後に、第２電源に異常が生じたときの第１異常記録回路１８、第２異常記録回路１９の論理値を図８に示すタイミングチャートを参照しつつ説明する。
【００５３】
（電源管理装置１が正常動作電圧で動作して、電源出力回路４をオンさせた後、電源出力回路４に異常が生じたときの第１異常記録回路１８、第２異常記録回路１９の論理値の記録についての説明）
【００５４】
電源をオンすると、図６に示すように、時点Ｔ３１から入力電圧Ｖ１が上昇し、第１電源電圧検知回路５の比較器（ＤＥＴ）１３からＬレベルの信号がフリップフロップ２１のリセット端子ＲＥＳＥＴに入力される。これにより、フリップフロップ２１のリセット端子ＲＥＳＥＴがアサートされ、フリップフロップ２１の論理値「０」が確定する（図６の時点Ｔ３２参照）。
【００５５】
ついで、入力電圧Ｖ１が閾値Ｔｈ１を超えると、比較器（ＤＥＴ）１３からＨレベルの信号がフリップフロップ２１のリセット端子ＲＥＳＥＴに入力される（時点Ｔ３３）。
これにより、フリップフロップ２１のリセット端子ＲＥＳＥＴがデアサートされて、出力電圧異常検出回路１７からの信号の入力が有効な状態となる。
【００５６】
ついで、入力電圧Ｖ２が上昇し（図６の時点Ｔ３４参照）、第２電源電圧検知回路７の比較器１４からＬレベルの信号がフリップフロップ２２のリセット端子ＲＥＳＥＴに入力される。これにより、フリップフロップ２２のリセット端子ＲＥＳＥＴがアサートされ、フリップフロップ２２の論理値「０」が確定する（図６の時点Ｔ３５参照）。
【００５７】
ついで、入力電圧Ｖ２が閾値Ｔｈ２を超えると、比較器（ＤＥＴ）１４からＨレベルの信号がフリップフロップ２２のリセット端子ＲＥＳＥＴに入力される（時点Ｔ３６参照）。
これにより、フリップフロップ２２のリセット端子ＲＥＳＥＴがデアサートされて、出力電圧異常検出回路１７からの信号の入力が有効な状態となる。
【００５８】
電源出力回路４が、例えば、操作によりオンすると、出力電圧Ｖが上昇を開始し（時点Ｔ３７参照）、出力電圧Ｖが閾値Ｖｔｈを超えると、出力電圧異常検出回路１７はＬレベルからＨレベルに変化する（時点Ｔ３８参照）。
【００５９】
そのＨレベルの信号はインバータ２３、２４によりＬレベルの信号とされて、フリップフロップ２１、２２のクロック端子ＣＬＫに入力される。これにより、フリップフロップ２１、２２は論理値「０」を保持し続ける。
【００６０】
出力電圧Ｖはその後も上昇し続け、例えば、入力電圧Ｖ１に達する（時点Ｔ３９参照）。出力電圧Ｖに異常がない場合には、出力電圧Ｖはこの状態を保持し続ける。ここで、例えば、出力端子１２等がグランドショート等すると、出力電圧Ｖが降下する（時点Ｔ４０参照）。その出力電圧Ｖが閾値Ｖｔｈを下回ると（時点Ｔ４１参照）、出力電圧異常検出回路１７の出力がＨレベルからＬレベルに変化する。
【００６１】
これにより、フリップフロップ２１、２２のクロック端子ＣＬＫに、出力電圧Ｖの異常を意味する論理値「１」が保持される（時点Ｔ４２参照）。ついで、異常の要因が解消して、時点Ｔ４３から出力電圧Ｖが上昇を開始する。
【００６２】
出力電圧Ｖが閾値Ｖｔｈを超えると（時点Ｔ４４参照）、出力電圧異常検出回路１７はＬレベルからＨレベルに変化する。このため、フリップフロップ２１、２２のクロック端子ＣＬＫにはインバータ２３、２４を介してＬレベルの信号が入力される。しかしながら、フリップフロップ２１、２２のリセット端子ＲＥＳＥＴは、ネゲートされていないので、論理値「１」を保持し続ける。その後、出力電圧Ｖは入力電圧Ｖ１に復旧する（時点Ｔ４５参照）。
【００６３】
従って、時点Ｔ４２以降において、第１異常記録回路１８の論理値「１」と第２異常記録回路１９の論理値値「１」とをリードすることにより、電源出力回路４の出力電圧に異常があったことを把握できる。すなわち、電源オン中に、第１電源、第２電源に異常がなく、電源出力回路４に出力電圧異常が生じた場合には、第１異常記録回路１８、第２異常記録回路１９の論理値は「１」、「１」となる。
【００６４】
（電源管理装置１が正常動作電圧で動作して、電源出力回路４をオンさせた後、電源出力回路４に異常があって第１異常記録回路１８の論理値が「１」、第２異常記録回路１９の論理値が「１」となった後に、第１電源に異常が生じたときの第１異常記録回路１８、第２異常記録回路１９の論理値の記録についての説明）
【００６５】
例えば、電源出力回路４に出力電圧Ｖの異常が生じて、電源出力回路４がオフすると、出力電圧異常検出回路１７の比較器（ＤＥＴ）２０の信号はＬレベルとなる。従って、第１異常記録回路１８、第２異常記録回路１９の論理値は、「１」、「１」となっている。
【００６６】
その後に、第１電源の入力電圧Ｖ１に異常が生じて、入力電圧Ｖ１が降下を開始したとする（図７の時点Ｔ５１参照）。ついで、入力電圧Ｖ１が閾値Ｔｈ１を下回ると、第１電源電圧検知回路５の比較器（ＤＥＴ）１３の信号がＨレベルからＬレベルに変化する。これにより、Ｌレベルの信号がフリップフロップ２１のリセット端子ＲＥＳＥＴに入力され、フリップフロップ２１のリセット端子ＲＥＳＥＴがネゲートされる（時点Ｔ５２参照）。
【００６７】
その結果、フリップフロップ２１は、論理値「１」を有効に保持できなくなる。ついで、入力電圧Ｖ１が再度上昇を開始し（時点Ｔ５３参照）、フリップフロップ２１のリセット端子ＲＥＳＥＴがアサートされ、フリップフロップ２１の論理値「０」が確定する（時点Ｔ５４参照）。
【００６８】
入力電圧Ｖ１が閾値Ｔｈ１を超えると、比較器（ＤＥＴ）１３からの信号がＬレベルからＨレベルに変化するため、フリップフロップ２１のリセット端子ＲＥＳＥＴがデアサートされる（時点Ｔ５５参照）。
しかし、出力電圧異常検出回路１７の出力はＬレベルのままであり、信号変化がないため第１異常記録回路１８（フリップフロップ２１）の論理値は「０」のままであり、論理値「１」を保持できない。
【００６９】
これに対して、入力電圧Ｖ２は期間Ｔ５１〜Ｔ５５中に閾値Ｔｈ２を超えており、第２異常記録回路１９（フリップフロップ２２のリセット端子ＲＥＳＥＴ）はネゲートされていないため、論理値「１」を保持し続ける。すなわち、電源出力回路４の電源電圧の異常後に、第１電源に異常が生じると、第１異常記録回路１８の論理値は「０」、第２異常記録回路１９の論理値は「１」となる。
【００７０】
（電源管理装置１が正常動作電圧で動作して、電源出力回路４をオンさせた後、電源出力回路４に異常があって、第１異常記録回路１８の論理値が「１」、第２異常記録回路１９の論理値が「１」となった後に、第２電源に異常が生じたときの第１異常記録回路１８、第２異常記録回路１９の論理値の記録についての説明）
【００７１】
例えば、電源出力回路４に出力電圧Ｖの異常が生じて、電源出力回路４がオフすると、出力電圧異常検出回路１７の比較器（ＤＥＴ）２０の信号はＬレベルとなる。従って、第１異常記録回路１８、第２異常記録回路１９の論理値は、「１」、「１」となっている。
【００７２】
その後に、第２電源の入力電圧Ｖ２に異常が生じて、入力電圧Ｖ２が降下を開始したとする（図８の時点Ｔ６１参照）。ついで、入力電圧Ｖ２が閾値Ｔｈ２を下回ると、第２電源電圧検知回路７の比較器（ＤＥＴ）１４の信号がＨレベルからＬレベルに変化する。これにより、Ｌレベルの信号がフリップフロップ２２のリセット端子ＲＥＳＥＴに入力され、フリップフロップ２２のリセット端子ＲＥＳＥＴがネゲートされる（時点Ｔ６２参照）。
【００７３】
その結果、フリップフロップ２２は、論理値「１」を有効に保持できなくなる。ついで、入力電圧Ｖ２が再度上昇を開始し（時点Ｔ６３参照）、フリップフロップ２２のリセット端子ＲＥＳＥＴがアサートされ、フリップフロップ２２の論理値「０」が確定する（時点Ｔ６４参照）。
入力電圧Ｖ２が閾値Ｔｈ２を超えると、比較器（ＤＥＴ）１４からの信号がＬレベルからＨレベルに変化するため、フリップフロップ２２のリセット端子ＲＥＳＥＴがデアサートされる（時点Ｔ６５参照）。
【００７４】
しかし、出力電圧異常検出回路１７からの信号レベルに変化はないため、第２異常記録回路１９（フリップフロップ２２）の論理値は「０」であり、論理値「１」を保持できない。
これに対して、入力電圧Ｖ１は期間Ｔ６１〜Ｔ６５中に閾値Ｔｈ１を超えており、第１異常記録回路１８（フリップフロップ２１）のリセット端子ＲＥＳＥＴはネゲートされていないため、論理値「１」を保持し続ける。
【００７５】
すなわち、電源出力回路４の電源電圧の異常後に、第２電源に異常が生じると、第１異常記録回路１８の論理値は「１」、第２異常記録回路１９の論理値は「０」となる。
また、第１電源、第２電源共に異常が生じた場合には、第１異常記録回路１８の論理値、第２異常記録回路１９の論理値は共に「０」となる。
【００７６】
これらの論理値の関係を整理すると、
論理値「０、０」は、電源出力回路４に異常がないか、又は、第１電源及び第２電源に異常が生じたことを意味する。
論理値「１、１」は、電源出力回路４に異常があり、かつ、入力電圧Ｖ１、Ｖ２共に異常がないことを意味する。
論理値「０、１」は、電源出力回路４に異常があり、かつ、入力電圧Ｖ１に異常が生じたとことを意味する。
論理値「１、０」は、電源出力回路４に異常があり、かつ、入力電圧Ｖ２に異常が生じたことを意味する。
【００７７】
図９は本発明の実施例３に係る電源管理装置１のブロック回路図である。
この実施例３の電源管理装置１は、実施例１、２に示す電源出力回路４、実施例１、２に示す第１電源電圧検知回路５、第２電源電圧検知回路７、実施例１に示す第１操作記録回路６、第２操作記録回路８、実施例２に示す出力電圧異常検出回路１７、第１異常記録回路１８、第２異常記録回路１９、インバータ２３’、２４’、２３、２４を備えている。
【００７８】
その図９において、実施例１、実施例２に示す回路要素と対応する回路要素については、実施例１、実施例２に示す構成要素と同一符号が付されている。なお、この実施例３では、操作端子１０からの信号は、インバータ２３’、２４’により論理反転されて、フリップフロップ１５、１６のクロック端子ＣＬＫに入力される。
【００７９】
この実施例３の電源管理装置１は、電源出力回路４のオン・オフの操作による電源異常の有無、電源異常が生じた場合にはどのような電源異常が生じたかを、第１操作記録回路６、第２操作記録回路８の論理値と第１異常記録回路１８、第２異常記録回路１９の論理値との関係により把握できるようにしたものである。
【００８０】
図１０は電源をオンして、電源出力回路４がオンされてからオフされるまでの操作過程において考えられる電源異常の有無の経路の説明図である。
最初に、電源がオンされて、第１電源、第２電源は共に正常動作できる電圧に達しているものとして、この時点以降における電源出力回路４のオフ操作における第１電源、第２電源の異常、電源出力回路４のオン中の電源出力回路４の出力電圧Ｖの異常、第１電源、第２電源の異常についての考えられる経路を説明する。
【００８１】
図１０において、経路１は、操作端子１０からＬレベルの信号を入力して、電源出力回路４をオフさせた場合、第１電源に異常が生じた後、電源出力回路４がオフされたことを意味している。
また、経路２は、操作端子１０からＬレベルの信号を入力して、電源出力回路４をオフさせたが、第１電源、第２電源が共に異常を生じることなく正常に降下して、電源出力回路４がオフされたことを意味している。
【００８２】
経路３は、操作端子１０からＬレベルの信号を入力して、電源出力回路４をオフさせた場合、第２電源に異常が生じた後、電源出力回路４がオフされたことを意味している。
経路４は、操作端子か１０からの信号がＨレベルのまま（電源出力回路４がオンされている状態）で、電源出力回路４に出力電圧の異常が生じた後、第１電源に異常が生じて電源出力回路４がオフされたことを意味している。
【００８３】
経路５は、操作端子１０からの操作信号がＨレベルのまま（電源出力回路４がオンされている状態）で、電源出力回路４に出力電圧の異常が生じたが、第１電源、第２電源には異常が生じることなく、すなわち、第１電源、第２電源は正常で、電源出力回路４がオフされたことを意味している。
【００８４】
経路６は、操作端子１０からの操作信号がＨレベルのまま（電源出力回路４がオンされている状態）で、電源出力回路４に出力電圧に異常が生じた後、第２電源に異常が生じて電源出力回路４がオフされたことを意味している。
【００８５】
第１電源の異常又は第２電源の異常が生じた後、操作端子１０からＬレベルの信号が入力された場合、すなわち、操作のタイミングと異常の発生タイミングとが逆の場合でも、論理値は同じである。
また、電源出力回路４の異常の発生タイミングと第１電源の異常又は第２電源の異常の発生タイミングとが逆の場合でも論理値は同じである。
【００８６】
図１１は、その各経路と論理値との関係を示す論理値表を示している。この図１１には、左から順に第１電源回路２の第１操作記録回路６（フリップフロップ１５）の論理値、第１異常記録回路１８（フリップフロップ２１）の論理値、第２電源回路３の第２操作記録回路８（フリップフロップ１６）の論理値、第２異常記録回路１９（フリップフロップ２２）の論理値が示されている。各経路はこの論理値をリードすることにより把握される。
【００８７】
経路１の論理値は、「０、０、１、１」であり、経路２の論理値は「１、１、１、１」であり、経路３の論理値は「１、１、０、０」であり、経路４の論理値は「０、０、０、１」であり、経路５の論理値は「０、１、０、１」であり、経路６の論理値は「０、１、０、０」である。
【００８８】
以下、一例として、図１２に示すタイミングチャートを参照しつつ経路１、経路２の論理値が得られる場合について説明する。
第１電源をオンすると（時点Ｔ７１参照）、入力電圧Ｖ１が第１電源回路２に印加され、第１電源電圧検知回路５の比較器（ＤＥＴ）１３がＬレベルの信号を出力する。これにより第１操作記録回路６のフリップフロップ１５のリセット端子ＲＥＳＥＴと第１異常記録回路１８（フリップフロップ２１）のリセット端子ＲＥＳＥＴとがアサートされ、時点Ｔ７２において第１操作記録回路６の論理値「０」と、第１異常記録回路１８の論理値「０」とが確定する。
【００８９】
入力電圧Ｖ１が閾値Ｔｈ１を超えると、第１電源電圧検知回路５の比較器１３の出力がＬレベルからＨレベルとなり、フリップフロップ１５、２１のリセット端子ＲＥＳＥＴがデアサートされて、そのフリップフロップ１５、２１のクロック端子ＣＬＫへの入力が有効な状態となる（時点Ｔ７３参照）。
【００９０】
ついで、入力電圧Ｖ２が第２電源回路３に印加され（時点Ｔ７４参照）、第２電源電圧検知回路７の比較器（ＤＥＴ）１４がＬレベルの信号を出力する。これにより第２操作記録回路８のフリップフロップ１６のリセット端子ＲＥＳＥＴと第２異常記録回路１９（フリップフロップ２２）のリセット端子ＲＥＳＥＴとがアサートされ、時点Ｔ７５において、第２操作記録回路８の論理値「０」と、第２異常記録回路１９の論理値「０」とが確定される。
【００９１】
入力電圧Ｖ２が閾値Ｔｈ２を超えると、第２電源電圧検知回路７の比較器（ＤＥＴ）１４がＨレベルの信号を出力し、これにより、フリップフロップ１６、２２のリセット端子ＲＥＳＥＴがデアサートされて、フリップフロップ１６、２２のクロック端子ＣＬＫへの入力が有効な状態となる（時点Ｔ７６参照）。
【００９２】
次に、この状態で、操作端子１０からの信号をＬレベルからＨレベルに変化させると、電源出力回路４がオンされる。電源出力回路４がオンすると、出力電圧Ｖが上昇する（時点Ｔ７７参照）。
【００９３】
また、操作端子１０の信号がＨレベルになると、インバータ２３’、２４’により論理反転されて、Ｌレベルの信号がフリップフロップ１５、１６のクロック端子ＣＬＫに入力される。従って、第１操作記録回路６（フリップフロップ１５）、第２操作記録回路８（フリップフロップ１６）は論理値「０、０」を保持する。
【００９４】
出力電圧Ｖが閾値Ｖｔｈを超えると、出力電圧異常検出回路１７の比較器（ＤＥＴ）２０の信号がＬレベルからＨレベルに変化する（時点Ｔ７８参照）。その後、出力電圧Ｖは、システムに要求される出力電圧、例えば、入力電圧Ｖ１に等しい電圧に達する（時点Ｔ７９）。
【００９５】
出力電圧Ｖが閾値Ｖｔｈを超えると、比較器２０のＨレベルの信号はフリップフロップ２１、２２のクロック端子ＣＬＫにインバータ２３、２４により論理反転されてＬレベルの信号として入力されるので、第１異常記録回路１８（フリップフロップ２１）、第２異常記録回路１９（フリップフロップ２２）は論理値「０、０」を保持し続ける。
【００９６】
時点Ｔ７１から時点７９までの過程が電源出力回路４が正常にオンされる過程であり、電源出力回路４がオンされるまでは、論理値「０、０、０、０」である。
電源出力回路４がオンした後、例えば、操作端子１０の信号をＨレベルからＬレベルに変化させて、電源出力回路４をオフさせると（時点Ｔ８０参照）、操作端子１０のＬレベルの信号はインバータ２３’、２４’により論理反転されて、フリップフロップ１５、１６のクロック端子ＣＬＫに入力される。これにより、フリップフロップ１５、１６は論理値「１」、「１」を保持する（時点Ｔ８１参照）。
【００９７】
ついで、電源出力回路４の出力電圧Ｖが閾値Ｖｔｈを下回ると（時点Ｔ８２参照）、出力電圧異常検出回路１７の比較器（ＤＥＴ）２０がＬレベルの信号を出力し、このＬレベルの信号が論理反転されて、Ｈレベルの信号がフリップフロップ２１、２２のクロック端子ＣＬＫに入力される。
【００９８】
その結果、第１異常記録回路１８（フリップフロップ２１）、第２異常記録回路１９（フリップフロップ２２）に論理値「１」、「１」が保持される（時点Ｔ８３参照）。
その時点Ｔ８３の時点で、第１操作記録回路６（フリップフロップ１５）、第２操作記録回路８（フリップフロップ１６）の論理値、第１異常記録回路１８（フリップフロップ２１）、第２異常記録回路１９（フリップフロップ２２）の論理値をリードすると、論理値「１、１、１、１」であり、電源異常、出力電圧異常が生じることなく、電源出力回路４が正常にオフされたことが把握される（図１０、図１１の経路２参照）。
【００９９】
電源出力回路４のオフ後に、何らかの原因により第１電源の入力電圧Ｖ１が閾値Ｔｈ１を下回ると（時点Ｔ８４参照）、比較器１３の信号レベルがＨレベルからＬレベルになる。すると、フリップフロップ１５のリセット端子ＲＥＳＥＴ、フリップフロップ２１のリセット端子ＲＥＳＥＴがネゲートされ、フリップフロップ１５、２１の信号論理が無効となる（時点Ｔ８５）。
【０１００】
ついで、第１電源の異常が解消されて、入力電圧Ｖ１が上昇し（時点Ｔ８６参照）、フリップフロップ１５、２１のリセット端子ＲＥＳＥＴがアサートされて、時点Ｔ８７において論理値「０」が確定する。
入力電圧Ｖ１が閾値Ｔｈ１を超えることにより、比較器１３の信号レベルはＬレベルからＨレベルになり、フリップフロップ１５、２１はデアサートされる（時点Ｔ８８参照）。
【０１０１】
しかしながら、第２操作記録回路８（フリップフロップ１６）、第２異常記録回路１９（フリップフロップ２２）は論理値「１」、「１」を保持している。
すなわち、図１１に示す経路１の論理値「０、０、１、１」は、電源出力回路４のオフ後に第１電源に異常が生じたことを意味している。
【０１０２】
また、電源出力回路４のオフ後に、何らかの原因により第２電源の入力電圧Ｖ２が閾値Ｔｈ２を下回ると、第２操作記録回路８（フリップフロップ１６）、第２異常記録回路１９（フリップフロップ２２）の論理値が「０」、「０」となる。
【０１０３】
これに対して、第１操作記録回路６（フリップフロップ１５）、第１異常記録回路１８（フリップフロップ２１）は、論理値「１」、「１」を保持している。
すなわち、図１１の経路３で示す論理値「１、１、０、０」は、電源出力回路４のオフ後に第２電源に異常が生じたことを意味している。
【０１０４】
電源出力回路４のオン中に、電源出力回路４の出力電圧Ｖが低下すると、第１異常記録回路１８（フリップフロップ２１）、第２異常記録回路１９（フリップフロップ２２）に論理値「１」、「１」が保持される。
【０１０５】
その後、第１電源の入力電圧Ｖ１が低下すると、第１電源電圧検知回路５の比較器１３の信号がＨレベルからＬレベルに変化する。これにより、第１操作記録回路６（フリップフロップ１５）の論理値がネゲートされる。これと同時に、第１異常記録回路１８（フリップフロップ２１）の論理値がネゲートされ、第１操作記録回路６の論理値が「０」、第１異常記録回路１８の論理値が「０」となる。
【０１０６】
操作端子１０からＬレベルの信号は入力されていないため、第２操作記録回路８の論理値は「０」のままであり、これに対して、第２異常記録回路１９（フリップフロップ２２）には論理値「１」が保持されたままである。
すなわち、経路４で示す論理値「０、０、０、１」は、電源出力回路４の出力電圧Ｖの異常後に、第１電源の入力電圧Ｖ１が異常になったことを意味する。
【０１０７】
出力電圧Ｖの異常検出後に第１電源、第２電源に異常を生じることなく、電源出力異常により電源がオフする場合には、第１操作記録回路６（フリップフロップ１５）の論理値、第２操作記録回路８（フリップフロップ１６）の論理値は、操作端子１０からの信号レベルがＨレベルのままであるので、「０、０」である。
【０１０８】
すなわち、経路５の論理値「０、１、０、１」は、出力電圧異常後に、操作端子１０から電源オフの操作を行うことなく、すなわち、ＨレベルからＬレベルへの操作を行うことなく、電源出力回路４がオフされたことを示す。
電源出力回路４のオン中に、電源出力回路４の出力電圧Ｖが低下すると、第１異常記録回路１８（フリップフロップ２１）、第２異常記録回路１９（フリップフロップ２２）に論理値「１」、「１」が保持される。
【０１０９】
第２電源に出力電圧異常を生じると、第２電源電圧検知回路７の比較器１４の信号がＬベルとなり、第２操作記録回路８（フリップフロップ１６）と、第２異常記録回路１９（フリップフロップ２２）とがネゲートされ、第２操作記録回路８の論理値と、第２異常記録回路１９の論理値とは「０、０」となる。
【０１１０】
これに対して、操作端子１０からＬレベルの信号は入力されていないため、第１操作記録回路６の論理値は「０」のままであり、また、第１異常記録回路１８（フリップフロップ２１）には論理値「１」が保持されたままである。
【０１１１】
従って、第１操作記録回路６の論理値は「０」、第１異常記録回路１８の論理値は「１」、第２操作記録回路８の論理値、第２異常記録回路１９の論理値は、「０、０」となる。
すなわち、経路６の論理値「０、１、０、０」は、出力電圧異常後に、操作端子１０から電源オフの操作を行うことなく、電源出力がオフされたことを示す。
これらの論理値をリードすることにより、操作の履歴と電源異常との関係を把握できる。
【符号の説明】
【０１１２】
１…電源管理装置
２…第１電源回路
３…第２電源回路
４…電源出力回路
５…第１電源電圧検知回路
６…第１操作記録回路（第１記録回路）
７…第２電源電圧検知回路
８…第２操作記録回路（第２記録回路）
１７…出力電圧異常検出回路
１８…第１異常記録回路（第１記録回路）
１９…第２異常記録回路（第２記録回路）
【先行技術文献】
【特許文献】
【０１１３】
【特許文献１】特開２００８−２４５４５８号公報
【図１】
2015035871.tif 000003
【図２】
2015035871.tif 000004
【図３】
2015035871.tif 000005
【図４】
2015035871.tif 000006
【図５】
2015035871.tif 000007
【図６】
2015035871.tif 000008
【図７】
2015035871.tif 000009
【図８】
2015035871.tif 000010
【図９】
2015035871.tif 000011
【図１０】
2015035871.tif 000012
【図１１】
2015035871.tif 000013
【図１２】
2015035871.tif 000014